(57)【要約】      （修正有）【課題】製造コストを削減でき、しかも、多段に放射状に配設する組付け作業が簡易と成るヨット用照明灯を提供する。【解決手段】発光群２ａが円周上で所要等分（４等分）に分割され、各ＬＥＤ４が電気的に接続されたＬＥＤ群にして、各一本のアノード端子とカソード端子が配設されてユニット化され、各ユニットＵが基台２ｂの中心に立設される円筒状の芯部（芯柱）の外周に巻き回され、該芯部に開口されるスリット８ｂ及び／又は小孔８ｃを介してそれぞれのアノード端子５０とカソード端子６００が基台２ｂの下方へ延出され、両端子群がそれぞれ各一本のアノード端子５０（抵抗１０を介する）とカソード端子６００に纏められ、基台２ｂの中央下端に接合されるソケット３の電極部（＋電極座３ｃ、−電極座３ｄ）にそれぞれ溶着される。また、各ユニットＵは、縦配列３列で横段数３段の９個のＬＥＤ群から成り、発光群２ａが４ユニットＵから成る。【選択図】図１
0003141294.tif 000002
【実用新案登録請求の範囲】
【請求項１】
ＬＥＤを多数段に渡って放射状に配設した発光群が基台に設けられて成る発光体と、該発光体を収納して前記基台に嵌着されるケースと、該基台の下方に接合されて前記発光群に電気的に接続されるソケットとから成る照明灯において、
前記発光群が円周上で所要等分に分割され、各ＬＥＤが電気的に接続されたＬＥＤ群にして、各一本のアノード端子とカソード端子が配設されてユニット化され、各ユニットが基台の中心に立設される円筒状の芯部の外周に巻き回され、該芯部に開口されるスリット及び／又は小孔を介してそれぞれのアノード端子とカソード端子が基台の下方へ延出され、両端子群がそれぞれ各一本のアノード端子とカソード端子に纏められ、基台の中央下端に接合されるソケットの電極部にそれぞれ溶着されて成るヨット用照明灯。
【請求項２】
前記ユニットが、縦配列３列で横段数３段の９個のＬＥＤから成り、発光群が４ユニットから成る請求項１記載のヨット用照明灯。
【考案の詳細な説明】
【技術分野】
【０００１】  本考案は、ＬＥＤ（発光ダイオード）の発光群が、円周上に多段に渡って放射配列される照明灯に関する。
【背景技術】
【０００２】  水平円周上に複数個のＬＥＤを放射状に配設した発光部を、複数段積み重ねして成る灯具は、特開２００１−１３５１０２号公報（特許文献１）に開示されているが、この特許文献１に開示された技術は、個別のレンズ２ａのボス部分２ｂにビス止めされる回路基板３にＬＥＤ１が複数個放射状に配列され、このＬＥＤ１の配列されたレンズ２ａを複数段積み重ねてその中心部を貫通するビス７を点滅ケース６の中心部に螺着して固定するものであり、レンズ２ａを使用しない場合は、これを単なるケースの周面としても、回路基板３にＬＥＤ１を放射状に配設することに多くの労力を要する点で、不経済な構造となるものである。
【特許文献１】特開２００１−１３５１０２
【考案の開示】
【考案が解決しようとする課題】
【０００３】  そこで、本考案は上記に鑑みて、ＬＥＤが多数段に渡って放射配列される発光群が、展開状（平面的なマトリクス状）で製造されることによって、製造コストを削減でき、しかも、多段に放射状に配設する組付け作業が簡易と成るヨット用照明灯を提供するものである。
【課題を解決するための手段】
【０００４】  本考案の請求項１に記載したヨット用照明灯は、ＬＥＤを多数段に渡って放射状に配設した発光群が基台に設けられて成る発光体と、該発光体を収納して前記基台に嵌着されるケースと、該基台の下方に接合されて前記発光群に電気的に接続されるソケットとから成る照明灯において、
前記発光群が円周上で所要等分に分割され、各ＬＥＤが電気的に接続されたＬＥＤ群にして、各一本のアノード端子とカソード端子が配設されてユニット化され、各ユニットが基台の中心に立設される円筒状の芯部の外周に巻き回され、該芯部に開口されるスリット及び／又は小孔を介してそれぞれのアノード端子とカソード端子が基台の下方へ延出され、両端子群がそれぞれ各一本のアノード端子とカソード端子に纏められ、基台の中央下端に接合されるソケットの電極部にそれぞれ溶着されて成る。
また、請求項２に記載したヨット用照明灯は、請求項１に記載したヨット用照明灯において、
前記ユニットが、縦配列３列で横段数３段の９個のＬＥＤから成り、発光群が４ユニットから成る。
【考案の効果】
【０００５】  本考案のヨット用照明灯によれば、発光群が平面的なマトリクス状のＬＥＤの配列によりユニット化されたものであるため、ユニットの製造ラインが量産化されて製造コストが大幅に削減され、各ユニット間のＬＥＤの電気的な接続も簡易となってその組付け作業も省力化され、量産上のコスト削減に多大に貢献できるものである。
【考案を実施するための最良の形態】
【０００６】  本考案のヨット用照明灯における基台に立設される円筒状の芯部には、その外周に巻き回される発光群の各ユニットのアノード端子とカソード端子を、基台の下方に案内するために、その上端から芯部の起立始端に向けてスリットを開口したり、該起立始端部に小孔を開口するなどである。さらに、各ユニットから延出されるアノード端子とカソード端子はそれぞれ基台の下方で一本に纏められるから、両端子の結合緊張力によって、各ユニットは芯部の外周にしっかり巻き回されて固定される。そして、ソケットは両端子の電極部への溶着によって、基台に確実に嵌着される。また、基台の上面に発光群を収納して被蓋されるケースは、その上面と周面に各種形状の放熱用の放熱孔が開口され、基台の座面にも同様の放熱孔が開口される。なお、各ユニットにおけるＬＥＤは縦配列３列、横段数３段に渡るもののほか、出力に対応してＬＥＤの数を各列、各段の配設によって増減できることは勿論である。
【実施例】
【０００７】  本考案のヨット用照明灯Ａを一実施例により説明すると、図１に示すように、ケース１と、発光体２と、ソケット３とから成り、ケース１はその周面１ａの４個所において、上面１ｂの近傍から下端に至る縦長の放熱孔１ｃが貫設され、上面１ｂには図５に示す中心部の円形と周辺部の４個所の湾曲長円形から成る各放熱孔１ｃが貫設開口され、発光体２は発光群２ａと基台２ｂとから成り、ソケット３は有底筒状にして下方外周には抜け止め用の突起３ａが対設され、底部にはその内周から底面下端に渡って絶縁材３ｂが配設されるとともに、＋電極座３ｃと−電極座３ｄが配設されて成り、前記発光群２ａは図２に示すように、縦配列３列で横段数３段の９個のＬＥＤ４が各個に電気的に接続され、それぞれ集合されたアノード端子５とカソード端子６が配設されたユニットＵが、左から順に第１ユニットＵ、第２ユニットＵ、第３ユニットＵ、第４ユニットＵとして４個形成され、基台２ｂは図３（ｂ）に示すように、円盤状の座盤７と該座盤の座面中央に立設する芯部としての筒状の芯柱８とから成り、座盤７の底面中央には所要径、所要深さの嵌入部７ａが凹設され、前記芯柱８の内面に形成される中空部８ａを該嵌入部７ａに連通させ、座盤７の周縁にはケース１を嵌着する段差部７ｂを設けるとともに、該段差部７ｂと芯柱８間の座面４個所には図３（ａ）に示す湾曲長円形の放熱孔７ｃが貫設され、芯柱８にはスリット８ｂが対設され、該スリット８ｂと直交する位置で芯柱８の起立始端部には一対の小孔８ｃが貫通横設されて成る。【０００８】このようにして成る基台２ｂには、図４に示すように、その芯柱８の外周に前記４ユニットＵからなる発光群２ａが巻き回されるが、その際、図２の第２ユニットＵと第３ユニットＵの各カソード端子６、６同士が溶着されて一本のカソード端子６０が形成され、第１ユニットＵと第４ユニットＵの各カソード端子６、６同士も溶着されて一本のカソード端子６０とされ、それぞれ芯柱８のスリット８ｂに挿通されて中空部８ａでさらに一本のカソード端子６００として溶着され、要部が絶縁チューブ９で被覆されて基台２ｂの下端から垂下される。一方、第２ユニットＵと第３ユニットＵの各アノード端子５、５及び第１ユニットＵと第４ユニットＵの各アノード端子５、５はそれぞれスリット８ｂと直交して開口される各小孔８ｃに挿通されて全ユニットＵが芯柱８に周設され、各小孔８ｃに挿通された各アノード端子５、５にはそれぞれ基台２ｂの下端で抵抗１０が溶着され、各抵抗１０の下端が相互に溶着されて一本のアノード端子５０として垂下される。
そして、前記のカソード端子６００とアノード端子５０がそれぞれソケット３の電極部としての一電極座３ｄと＋電極座３ｃに挿通され、ソケット３の上端が基台２ｂの座盤７の嵌入部７ａに嵌着されて各電極座３ｄ、３ｃに溶着され、それぞれアノード端子５０の溶着された側が＋電極ａに対応し、カソード端子６００の溶着された側が−電極ｋに対応するものである。
このようにして形成された発光体２には発光群２ａを収納するようにケース１が被蓋され、その周面１ａの下端を座盤７の段差部７ｂに接着剤で接着して、図６に示すようなヨット用照明灯Ａが形成される。
このようにして成るヨット用照明灯Ａは、図外の小型船舶用法定船灯ケースに収納されて使用されるものである。
以上のように、本考案のヨット用照明灯Ａは、ＬＥＤ４の単位発光群（ユニットＵ）の形成が平面マトリクス状であるため、簡易となって省力化され、また、発光群２ａの形成作業（多段に渡る放射配列）も簡易となるなどで組付けコストも低コストに抑えられ、安価な製品としてニーズに対応できるものである。
【産業上の利用可能性】
【０００９】  本考案のヨット用照明灯は、ヨットなどの小型船舶における需要が期待されることは勿論のこと、ケースや基台は合成樹脂製であるから、射出成形業界で利用される上、発光群では多数のＬＥＤが使用されるから、半導体発光素子製造業界の需要増大を誘引するものである。
【図面の簡単な説明】
【００１０】
【図１】本考案のヨット用照明灯Ａの分解説明図。
【図２】発光群２ａのユニット化におけるユニットＵの配列説明図。
【図３】基台２ｂの説明図で、分図（ａ）は基台２ｂの平面図、分図（ｂ）は分図（ａ）のＡ−Ａ矢視断面図。
【図４】発光体２の平面図。
【図５】ケース１の平面図。
【図６】本考案のヨット用照明灯Ａの正面図。
【符号の説明】
【００１１】１    ケース
１ａ  周面
１ｂ  上面
１ｃ  放熱孔
２    発光体
２ａ  発光群
２ｂ  基台
３    ソケット
３ａ  突起
３ｂ  絶縁材
３ｃ  ＋電極座
３ｄ  −電極座
４    ＬＥＤ
５、５０  アノード端子
６、６０、６００  カソード端子
７    座盤
７ａ  嵌入部
７ｂ  段差部
７ｃ  放熱孔
８    芯柱
８ａ  中空部
８ｂ  スリット
８ｃ  小孔
９    絶縁チューブ
１０  抵抗
ａ    ＋電極
ｋ    −電極
Ｕ    ユニット
Ａ    ヨット用照明灯
【図１】
0003141294.tif 000003
【図２】
0003141294.tif 000004
【図３】
0003141294.tif 000005
【図４】
0003141294.tif 000006
【図５】
0003141294.tif 000007
【図６】
0003141294.tif 000008